(57)【要約】      （修正有）【課題】  より細かなピッチでの棚板位置の変更にも容易に対応できる上に、安定した棚板の支持が可能であり、しかも制作が簡単な書棚およびそれに用いる棚板係止具を提供する。【解決手段】  少なくとも１対の側板と、一定のピッチで列状に配置された複数の係止穴を有し、側板の対向する内側面に取り付けられる少なくとも一対の係止柱と、板状の部材を断面がＮ字型になるように折り曲げた棚板係止具と、その端部に棚板係止具の前記他方端と係合する係止溝を備えた少なくとも１枚の棚板とを有する書棚であって、係止柱に設けられた貫通穴の上端とその貫通穴直上の係止穴の下端との間の長さを、係止穴の上下方向の長さよりも短くした書棚を提供することによって、また、板状の部材を断面がＮ字型になるように折り曲げた形状を有し、そのＮ字型の一方端の下端部に切れ込みが設けられている棚板係止具を提供する。【選択図】  図１
2006006497.tif 000002
【特許請求の範囲】
【請求項１】
少なくとも１対の側板と、一定のピッチで列状に配置された複数の係止穴を有し、係止穴と係止穴との間に設けられた少なくとも１つの貫通穴を貫通する固定具によって側板の対向する内側面に取り付けられる少なくとも一対の係止柱と、板状の部材を断面がＮ字型になるように折り曲げた形状を有し、そのＮ字型の一方端が係止柱の係止穴と係合し、他方端が棚板の係止溝と係合する複数個の棚板係止具と、その端部に棚板係止具の前記他方端と係合する係止溝を備えた少なくとも１枚の棚板とを有する書棚であって、係止柱に設けられた貫通穴の上端とその貫通穴直上の係止穴の下端との間の長さを、係止穴の上下方向の長さよりも短くした書棚。
【請求項２】
列状に配置された複数の係止穴と貫通穴とが、ともに、係止柱を縦方向に貫く同じ１本の直線上に左右対称に配置されている請求項１記載の書棚。
【請求項３】
複数個の棚板係止具のうちの少なくとも１つが、係止柱の係止穴と係合するＮ字型の一方端の下端部に、固定具との当接を避ける切れ込みが設けられている棚板係止具である請求項１又は２記載の書棚。
【請求項４】
係止柱の係止穴と係合する棚板係止具のＮ字型の一方端の長さが、係止柱の係止穴の上下方向の長さよりも長い請求項１、２又は３記載の書棚。
【請求項５】
板状の部材を断面がＮ字型になるように折り曲げた形状を有し、そのＮ字型の一方端の下端部に切れ込みが設けられている棚板係止具。
【発明の詳細な説明】
【技術分野】
【０００１】
本発明は、書棚及びそれに用いる棚板係止具に関し、詳細には、棚板の上下方向の設置位置をより細かなピッチで変更することができる書棚とそれに用いる棚板係止具に関するものである。
【背景技術】
【０００２】
従来、多くの書棚においては、収納する書籍等の大きさに合わせて棚板の上下方向の位置を調整することができるようになっているのが一般的である。棚板の上下方向の位置調整のためのメカニズムは様々であるけれども、典型的なものとしては、例えば、特許文献１にみられるように、書棚を構成する左右一対の側板の内側に複数のダボ穴を所定のピッチで設け、棚板を支持するダボを差し込むダボ穴の位置を変えることによって、棚板の上下方向の位置を調整可能にしているものがある。
【０００３】
しかしながら、このようにダボの差し込み位置を変更して棚板の設置位置を可調整とする書棚においては、棚板の設置位置をより細かなピッチで変更可能とするためには、側板の内側に多数のダボ穴をより小さなピッチで設ける必要があり、そのためのダボ穴加工に手間が掛かる上に、ダボ穴へのダボの差し込みや抜き取りは基本的に面倒な作業であり、棚板の上下方向の位置の変更に手間取ってしまうという欠点がある。また、ダボとそれを支えるダボ穴の強度によって支持可能な書籍等の重量が制約を受けるので、重量のある書籍等の収納が予定される書棚には一般的に不適であり、さらには、棚板がダボ上に載置されているだけであるので、棚板の支持が不安定であるという不都合もある。
【０００４】
一方、例えば、特許文献２などに見られるように、書棚を構成する左右一対の側板を鋼板で作成し、その側板の内側の前後に複数のスリットを設け、棚板と係合する棚受け金具を係止するスリットの位置を変更することにより、棚板の上下位置を可調整とすることも行われている。しかしながら、このような書棚においては、書棚を構成する構造部材である鋼製の側板自体に棚板係止用のスリットを設けるようにしているので、棚板の設置位置をより細かなピッチで変更可能にしようとすると、鋼製の側板に多数のスリットをより小さなピッチで設けることが必要となり、金属加工が非常に面倒になるという不都合がある。
【特許文献１】特開２００１−５４４３０号公報
【特許文献２】特開２００１−２９１４９号公報
【発明の開示】
【発明が解決しようとする課題】
【０００５】
本発明は、上記のような従来の書棚が有する欠点若しくは不都合を解消するために為されたもので、より細かなピッチでの棚板位置の変更にも容易に対応できる上に、安定した棚板の支持が可能であり、しかも制作が簡単な書棚およびそれに用いる棚板係止具を提供することを課題とするものである。
【課題を解決するための手段】
【０００６】
本発明は、少なくとも１対の側板と、一定のピッチで列状に配置された複数の係止穴を有し、係止穴と係止穴との間に設けられた少なくとも１つの貫通穴を貫通する固定具によって側板の対向する内側面に取り付けられる少なくとも一対の係止柱と、板状の部材を断面がＮ字型になるように折り曲げた形状を有し、そのＮ字型の一方端が係止柱の係止穴と係合し、他方端が棚板の係止溝と係合する複数個の棚板係止具と、その端部に棚板係止具の前記他方端と係合する係止溝を備えた少なくとも１枚の棚板とを有する書棚であって、係止柱に設けられた貫通穴の上端とその貫通穴直上の係止穴の下端との間の長さを、係止穴の上下方向の長さよりも短くした書棚を提供することによって、また、板状の部材を断面がＮ字型になるように折り曲げた形状を有し、そのＮ字型の一方端の下端部に切れ込みが設けられている棚板係止具を提供することによって、上記の課題を解決するものである。
【０００７】
本発明の書棚においては、係止柱に設けられる列状に配置された複数の係止穴と、係止柱を側板に取り付ける固定具が貫通する貫通穴とが、ともに、係止柱を縦方向に貫く同じ１本の直線上に左右対称に配置されているのが望ましい。複数の係止穴と貫通穴とをこのような配置とすることによって、係止柱の左右方向の幅を必要最小限の長さにすることが可能となる。
【０００８】
また、本発明の書棚においては、複数個の棚板係止具のうちの少なくとも１つが、係止柱の係止穴と係合するＮ字型の一方端の下端部に、固定具との当接を避ける切れ込みが設けられている棚板係止具であるのが望ましい。このような棚板係止具を少なくとも１つ備えていることによって、本発明の書棚は、係止柱に設けられる係止穴のピッチを可及的に小さくしても、係止穴に係合する棚板係止具のＮ字型の一端が係止柱を側板に取り付ける固定具に当接する恐れがないので、棚板係止具を任意の係止穴に係合させることができる。
【０００９】
さらに、本発明の書棚においては、係止柱の係止穴と係合する棚板係止具のＮ字型の一方端の長さが係止柱の係止穴の上下方向の長さよりも長いことが望ましい。これにより、例えば、棚板の位置変更時に棚板などが棚板係止具に接触しても、棚板係止具が係合している係止穴から無闇に外れて落下したりしてしまうことが防止される。
【００１０】
本発明の書棚が収納ないしは陳列する対象物は、単行本や雑誌等を含めた書籍類は勿論のこと、ＣＤ、ＤＶＤ、ビデオテープ、ＭＤ、ＭＯ、その他の情報記録媒体ないしはそれらのケース、商品、箱、書類、書類ケースなど、棚上に収納ないしは陳列することができる全てのものを含み、したがって、本明細書でいう書棚とは、書籍類だけを収納ないしは陳列する狭義の意味の書棚、書架に解されてはならず、陳列棚、収納棚、整理棚などを含むものである。
【発明の効果】
【００１１】
本発明の書棚は、上記のように構成されているので、極めて小さなピッチ、例えば、１２．５ｍｍ程度のピッチでの棚板の上下方向の位置調整にも十分に対応できるという利点がある。また、棚板係止具を係合させる係止穴を、側板に直接設けるのではなく、側板とは別体の係止柱に設けるようにしているので、係止穴を設けるピッチを小さくしても、加工にそれほどの手間が掛からず、容易に制作できる上に、書棚を構成する構造材としての側板自体には全く影響がないので、書棚自体の強度には何らの影響を及ぼさないという利点を有している。
【００１２】
また、断面がＮ字型の棚板係止具を使用し、そのＮ字型の一方端を係止柱の係止穴に係合させるとともに、他方端を棚板に設けられた係合溝に係合させて、棚板を所定位置に支持するようにしているので、棚板は安定に支持され、重量のある書籍等の収納にも十分に耐えることができる。さらには、Ｎ字型の棚板係止具の少なくとも１つは、Ｎ字型の一方端の下端部に切れ込みが設けられているので、係止柱を側板に取り付ける固定具と当接することが防止され、係止穴のピッチを可能な限り小さくすることが可能となる。
【発明を実施するための最良の形態】
【００１３】
以下、図面を用いて本発明を詳細に説明するが、本発明が図示のものに限られないことは勿論である。
【００１４】
図１は、本発明の書棚の一例を示す斜視図である。図１において、１は本発明の書棚であり、書棚１は、左右二枚一対の側板２、２と、基板３、天板４、及び棚板５、５、５とから構成されている。６、６は、側板２、２の互いに対向する内側に取り付けられた係止柱である。図示の例においては、側板２、２は二枚一対だけであるが、さらに一枚若しくは二枚以上の側板を用意して、左及び／又は右の側方に連結し、二連若しくは三連以上の書棚としても良い。そのとき、両端以外の側板は、その両面を対向する内側として用いることができる。また、二枚一対若しくはそれ以上の側板を用意して、前方及び／又は後方に連結して、両側から書籍等の収納物を出し入れする二重の書棚としても良いことも勿論である。棚板５、５、５も本例においては３枚であるが、書棚の大きさなどに合わせて、１枚であっても、２枚であって、また４枚以上であっても良いことは言うまでもない。
【００１５】
側板２、２、基板３、天板４、及び棚板５、５、５の材質に特段の制限はなく、木や、鋼、ステンレス、真鍮、アルミ、銅などの金属、プラスチックなどを適宜単独若しくは組み合わせて使用することができるけれども、典型的には一枚板若しくは合板等の木材が使用される。
【００１６】
図２は、側板２の拡大図であり、側板２の内側面の前後には、溝７、７が形成されている。図示の例では、溝７、７は、側板２の上端から少し下がった位置から下方に形成されているけれども、側板２の上端から形成しても良く、また、溝７、７の下端は、側板２の下端まで延在していても、側板２の下端から少し上方の位置までであっても良い。溝７、７は、側板２が木材の場合には、切削等の手段で形成することができ、側板２が金属の場合にはプレス加工、プラスチックの場合には成型加工等、材料の特性に応じた適宜の方法で形成することができる。
【００１７】
係止柱６、６は、厚みの薄い板状部材の両側端を同じ方向に折り曲げて得られる断面コの字型の形状を有しており、そのそれぞれには、同形、同大の係止穴８、８・・・が一定のピッチで複数個設けられている。係止柱６、６を形成する材料にも特段の制限はなく、後述する棚板係止具を係合させて、棚板及びその上に収納される書籍等の重量に耐えることができる限り、ステンレス、鋼、銅、真鍮、アルミなどの金属や、プラスチックなど適宜の材料を用いることができるけれども、例えば、ステンレスを用いると、錆びない上に光沢があり、しかも強度的にも十分であるので最も好ましい。
【００１８】
９、９・・・は、係止柱６、６の係止穴８、８間の適宜の位置に設けられた貫通穴であり、この貫通穴９、９・・・に、固定具１０、１０・・・を貫通させて、その固定具１０、１０・・・によって係止柱６、６を側板２の溝７、７内に取り付けることができるようになっている。固定具１０、１０・・・としては、係止柱６、６を側板２の内側面に取り付けることができるものである限り、どのようなものを使用しても良く、例えば、ねじ、釘など適宜のものを使用することができるけれども、側板２の材料が木材である場合には、木ねじを使用するのが好ましい。
【００１９】
図３は、係止柱６を側板２の内側の溝７内に取り付けた状態を示す断面図である。図に示すように、溝７内に取り付けられた係止柱６は、そのコの字型の断面を形成する両側端の折り返し部の先端が溝７の底部と当接した位置で位置決めされて、係止穴８と溝７の底部との間に所定深さの空間Ｓを確保することができるようになっている。
【００２０】
なお、係止柱６、６の形状は、図２ないし図３に示したものに限られない。例えば、図４の断面図に示すように、係止柱６の形状は平板状であっても良く、その場合には、側板２の内側面に形成される溝７の周辺部に係止柱６の周辺部を当接させて係止柱６を側板２に対して位置決めして、側板２の内側に取り付けることができ、係止穴８と溝７の底部との間に所定深さの空間Ｓを確保することができる。なお、溝７の周辺部で係止柱６の周辺部と当接する部分を係止柱６の厚さ分だけ削り取った形状としておけば、係止柱６の上面と側板２の内側面とが同一面に揃うので、好ましい。
【００２１】
図５は、係止柱６の拡大図であり、図６はその側面断面図である。図５に示すように、係止柱６には、係止穴８、８、８・・・が一定のピッチＰで複数個設けられている。係止穴８、８、８・・・の形状に特段の制限はなく、後述する棚板係止具の一端が係合することができる限りどのような形状であっても良いが、典型的には横長の長方形が好ましく、しかも四隅が若干の丸味を帯びているのが好ましい。ｈは係止穴８の上下方向の長さ、Ｗは係止穴８の幅である。なお、ここでいう上下とは書棚に取り付けて使用状態における上下と同じである。なお、係止穴８、８、８・・・の形状は全て同形、同大であるのが好ましいけれども、例えば装飾等の目的でその幅Ｗに多少のばらつきをもたせたり、上下方向の長さｈを多少変化させたりすることも随意である。
【００２２】
係止穴８、８、８・・・の間の適宜の位置には、貫通穴９が設けられている。貫通穴９は、前述したとおり、図示しない固定具をその内部に貫通させて、係止柱６を側板２に取り付けるためのものである。本発明においては、この貫通穴９が、貫通穴９の上端とその直上にある係止穴８の下端との間の長さｘが係止穴８の上下方向の長さｈよりも短くなるような位置、すなわち、ｘ＜ｈとなるような位置に設けられている。このような位置に貫通穴９を設けることにより、本発明の書棚においては、係止穴８、８、８・・・のピッチＰを可及的に小さくすることが可能であり、より細かなピッチで棚板の上下方向位置を調整することができる。
【００２３】
図６から見て取れるとおり、１１は貫通穴９の周辺の傾斜部であり、このような傾斜部１１を設けておくことによって、例えば木ねじ等の固定具を貫通穴９の内部に貫通させて係止柱６を側板に取り付けても、木ねじ等の固定具の頭が係止柱６の上面から飛び出ることがなく、棚板の設置や取り外しのときに邪魔になることがない。ｒは貫通穴９の直径、Ｒは傾斜部１１の直径、Ｑは係止柱６の幅である。なお、Ｃは係止柱６の幅方向の中心軸であり、図に示すとおり、本例の係止柱６においては、係止穴８、８、８・・・及び貫通穴９、傾斜部１１は、全てこの中心軸Ｃに対して左右対称に設けられている。係止穴８、８、８・・・及び貫通穴９、傾斜部１１は、係止柱６の中心軸Ｃ、或いは、中心軸Ｃからずれた直線に対して必ずしも左右対称の位置に配置されていなくても良いけれども、これらのを全て中心軸Ｃに対して左右対称にまとめることによって、係止柱６の幅Ｑを可及的に小さくすることができるという利点がある。係止穴８、８、８・・・及び貫通穴９、傾斜部１１が、係止柱を縦方向に貫く同じ１本の直線上に左右対称に配置されていれば、仮にその直線が中心軸Ｃからずれた位置にあっても、本発明の書棚の機能上は何らの支障はなく、係止穴８、８、８・・・及び貫通穴９、傾斜部１１が、同一直線上に左右対称に配置されていない場合に比べて、係止柱６の幅Ｑを小さくすることができることは言うまでもない。
【００２４】
貫通穴９の個数にも特に制限はなく、係止柱６を側板に対して取り付け安定に固定することができる限り、適宜の個数を選択することができ、例えば、６個の係止穴８に対して１つの貫通穴９を設けるようにしても良いし、それ以上またはそれ以下の個数の係止穴８に対して１つの貫通穴９を設けるようにしても良い。
【００２５】
図７は、本発明の書棚に使用する棚板係止具の一例を示す斜視図であり、図８はその側面図である。図７及び図８において、１２は棚板係止具であり、この棚板係止具１２は、一枚の板状部材を断面がＮ字型になるように折り曲げて得られる形状を有している。棚板係止具１２を構成する材料に特に制限はなく、後述する棚板を係止支持してその上に収納される書籍等の重量に耐えることができる限り、どのような材料を用いて形成しても良いけれども、例えば、係止柱６と同様に、ステンレス、鋼、銅、真鍮、アルミなどの金属や、プラスチックなど適宜の材料を用いることができ、中でも、加工性並びに強度の面からは鋼を用いるのが好ましい。
【００２６】
１３は、Ｎ字型の一方端であり、係止柱６の係止穴８と係合する部分である。１４は他方端であり、後述する棚板の係合溝と係合する部分である。また、１５はＮ字型の棚板係止具１２の中央部である。図７から明らかなように、Ｎ字型の一方端１３は、その両側が中央部１５の両側から同じ長さだけ削り取られた幅狭の形状を有しており、Ｎ字型の一方端１３の幅は、中央部１５及び他方端１４の幅よりも小さくなっている。ｄはＮ字型の一方端１３の長さである。
【００２７】
図９は、断面Ｎ字型の棚板係止具１２を係止穴８に係合させるところを示した断面図であり、図１０は棚板係止具１２を係止穴８に係合させた状態を示す断面図である。棚板係止具１２を、棚板を設置したい位置に対応する係止穴８に係合させるには、図９に示すように、棚板係止具１２を若干傾斜させながら、そのＮ字型の一方端１３の先端を係止穴８に挿入し、図１０に示すように係止穴８に係合させれば良い。係合した状態で、棚板係止具１２のＮ字型の一方端１３の先端部は、溝７の底部と接触することなく、空間Ｓ内に収まっている。
【００２８】
本発明の書棚においては、棚板係止具１２のＮ字型の一方端１３の長さｄを係止穴８の上下方向の長さｈよりも長めにし、かつ、Ｎ字型の一方端１３が中央部１５に対して若干外側に広がるように、Ｎ字型の一方端１３と中央部１５との間に図８に示すような角度αを設けておくのが好ましい。このようにしておくと、係止穴８の上下方向の長さｈよりも長い長さｄを持つ棚板係止具１２のＮ字型の一方端１３を係止穴８に係合させることができ、例えば棚板の設置時や取り外し時などに棚板などが棚板係止具１２に接触して、棚板係止具１２が上方に持ち上げられても、棚板係止具１２が係止穴８から不必要に外れて落下したりすることがないという利点が得られる。なお、角度αは、Ｎ字型の一方端１３の長さｄと係止穴８の上下方向の長さｈ、さらには、係止柱６と溝７との間に形成される空間Ｓの奥行きとを勘案して適宜決定することができる。
【００２９】
図１０において、５は棚板であり、断面図として示してあるが、棚板５には、棚板係止具１２の他方端１４を係合する係合溝１６が設けられている。１７は金属板、１８ａは凹部であるが、これらについては後述する。棚板５を棚板係止具１２上に設置するには、棚板５を図中矢印方向に移動させ、棚板５の係合溝１６を棚板係止具１２の他方端１４に係合させれば良い。
【００３０】
図１１は、棚板５の側面部分の構造を示す図である。図に示すように、棚板５の側面には、棚板５の側面上部と側面の手前側（書棚における書籍等を出し入れする側）一部を残して、凹部１８が設けられており、この凹部１８はその一部が棚板５の下面にまで延在している。係合溝１６は、この凹部１８に、断面Ｌ字型の金属板１７を取り付けることによって形成される。すなわち、凹部１８には、その側面に、さらに小凹部１６ａ、１６ａが設けられており、一方、金属板１７の対応する位置には、穴１７ａ、１７ａが形成されているので、金属板１７を凹部１８に取り付けることによって、金属板１７と棚板５の側面との間に、係合溝１６、１６が形成されることになる。
【００３１】
凹部１８の、棚板側面における深さは、金属板１７の厚さよりも長くなっており、図１０に示すとおり、金属板１７を凹部１８に取り付けた状態で、棚板５の側面には、なお、凹部１８ａが残されている。このように棚板５の側面に凹部１８ａが存在するので、棚板５の係合溝１６を棚板係止具１２の他方端１４に係合させても、棚板係止具１２の中央部１５の厚さは凹部１８ａに吸収され、棚板５の側面と側板２の内側面との間には隙間が生じることがない。また、凹部１８の棚板下面における深さは、金属板１７の厚さと同程度にされており、金属板１７を凹部１８に取り付けると、金属板１７の下面は棚板５の下面と略面一に揃うようになっている。また、凹部１８は、上述のとおり、棚板５の側面の手前側の一部を残して設けられているので、金属板１７を凹部１８に取り付けても、棚板５の手前側からは金属板１７は見えず、書棚としての見栄えを損なうことがない。なお、凹部１８は、棚板５の側面の手前側の一部だけでなく、奥側の一部も残して設けても良く、その場合には、棚板５を手前側或いは奥側のどちらから見ても金属板１７は見えず、書棚の見栄えが損なわれることがない。以上は、棚板５の一方の側面についてのみ説明をしたが、他方の側面についても同様であることは言うまでもない。
【００３２】
図１２は棚板係止具１２の他の例を示す斜視図である。図に示すとおり、この例の棚板係止具１２においては、係止柱６の係止穴８と係合するＮ字型の一方端１３の下端部に切れ込み１９が設けられている点でのみ、図７及び図８に示した棚板係止具１２と異なっている。この例の棚板係止具１２は、例えば、図１３に示すように、その直下に、固定具１０が貫通した貫通穴９が存在する係止穴８に係合させるのに好都合な棚板係止具である。すなわち、図１４及び図１５に示すように、Ｎ字型の一方端の下端部に切れ込み１９が設けられている棚板係止具１２を用いれば、係合させる係止穴８の直下に、貫通穴９が存在し、その貫通穴９を貫通する固定具１０が存在していたとしても、切れ込み１９によって固定具１０との当接を避けることができるので、何らの支障なく、棚板係止具１２を係止穴８に係合させることができるものである。なお、切れ込み１９の形状としては、図示の例では半円形状の切れ込みを示したが、半円形状に限られず、固定具１０との当接を避けることができる限り、四角形、三角形、半長円形、半楕円形など、どのような形状であっても良い。
【００３３】
本発明の書棚においては、上記のようなＮ字型の一方端１３の下端部に切れ込み１９のある棚板係止具１２を少なくとも１個備えているのが望ましい。少なくとも１個という意味は、例えば、左右一対の側板２、２を備え、それぞれの側板２、２の前後に２つの係止柱６、６、６、６を備える書棚において、係止柱６、６、６、６を側板２、２に取り付ける固定具１０の位置が、係止柱６、６、６、６において全て異なっている場合には、切れ込み１９のある棚板係止具１２を少なくとも１個備えていれば、少なくとも１枚の棚板５に関しては、係止柱６、６、６、６を取り付けている固定具１０の位置を考慮することなく、任意の位置の係止穴８に棚板係止具１２を係合させ、棚板５を所望の位置に支持することができるからである。支持すべき棚板５の数が増えたり、係止柱６、６、６、６を側板２に取り付ける固定具１０の位置が２若しくは３以上の係止柱に関して同じような場合には、切れ込み１９のある棚板係止具１２が２個以上必要になることは言うまでもない。本発明の書棚を構成する棚板係止具１２が、すべて、係止穴８と係合するＮ字型の一方端１３の下端部に切れ込み１９を備えた棚板係止具１２であっても良いことは勿論である。
【００３４】
〈実施例〉
側板、基板、天板、棚板に全てラワン材を用い、以下の諸元で本発明の書棚を作成した。ただし、係止穴の上下方向の長さｈ、及び、係止穴のピッチＰを、種々に変化させ、最適の組み合わせを検討した。
【００３５】
１．係止柱
材料：ステンレス  厚さ０．８〜１ｍｍ
形状：両側端を同方向に折り曲げた断面コの字型
大きさ：長さ１８２０ｍｍ、幅１５ｍｍ、折り返し部の長さ５ｍｍ
【００３６】
２．係止穴
大きさ：上下方向の長さｈｍｍ
幅：８ｍｍ
ピッチ：Ｐｍｍ
【００３７】
３．貫通穴
貫通穴：直径３ｍｍ
傾斜部：直径６ｍｍ
【００３８】
４．固定具
木ねじ：ネジ部の直径３ｍｍ未満
【００３９】
５．棚板係止具
材料：鋼  厚さ２ｍｍ
形状：断面Ｎ字型
大きさ：係合穴と係合するＮ字型の一方端の長さ７．５ｍｍ  幅７ｍｍ
他方端の長さ１０ｍｍ、幅１１ｍｍ
切れ込みの大きさ：直径４ｍｍの半円形
【００４０】
検討の結果、上記のような係止柱の材料の厚み、貫通穴の大きさ、棚板係止具の材料の厚み、係合穴と係合するＮ字型の一方端の長さに関して言えば、係止穴のピッチＰを１２．５ｍｍ、係止穴の上下方向の長さｈを３．５〜４ｍｍにすると、１２．５ｍｍという極めて細かなピッチで棚板の上下方向の位置調整が可能であり、しかも、係止穴への棚板係止具の係合や取り外しが困難なく行うことができ、さらには、棚板係止具と係止穴との係合が不必要に外れることのない安定した書棚が作成できることが分かった。
【産業上の利用可能性】
【００４１】
以上説明したように、本発明によれば、細かなピッチで棚板の上下方向の位置を調整することができる安定した書棚を簡便に作成することができるので、図書館や書店はもとより、一般家庭にも利便性の一層向上した書棚を提供することができる。また、本発明の書棚は、単行本や雑誌を含めた書籍等の陳列や収納だけに限らず、ＣＤやＤＶＤを初めとする各種の情報記録媒体やそのケース、書類や商品など、棚上に収納ないしは陳列することができる全てのものを対象にしているので、商店や事務所、倉庫などあらゆる方面での利用が可能である。
【図面の簡単な説明】
【００４２】
【図１】本発明の書棚の一例を示す斜視図である。
【図２】側板の拡大図である。
【図３】係止柱を側板に取り付けた状態の拡大断面図である。
【図４】他の例の係止柱を側板に取り付けた状態の拡大断面図である。
【図５】係止柱の拡大図である。
【図６】図５の側面断面図である。
【図７】棚板係止具の一例を示す斜視図である。
【図８】図７の側面図である。
【図９】棚板係止具の係止穴への係合方法を示す断面図である。
【図１０】棚板係止具の係止穴への係合状態を示す断面図である。
【図１１】棚板の側面の構造を示す説明図である。
【図１２】棚板係止具の他の例を示す斜視図である。
【図１３】棚板係止具の係止穴への係合方法を示す断面図である。
【図１４】棚板係止具の係止穴への係合状態を示す断面図である。
【図１５】棚板係止具の係止穴への係合状態を示す背面図である。
【符号の説明】
【００４３】
１            書棚
２            側板
３            基板
４            天板
５            棚板
６            係止柱
７            溝
８            係止穴
９            貫通穴
１０          固定具
１１          傾斜部
１２          棚板係止具
１３          Ｎ字型の一方端
１４          他方端
１５          中央部
１６          係合溝
１７          金属板
１８          凹部
１９          切れ込み
ｈ            係合穴の上下方向長さ
Ｐ            係合穴のピッチ
ｒ            貫通穴直径
ｘ            貫通穴上端と係止穴下端との間の長さ
【図１】
2006006497.tif 000003
【図２】
2006006497.tif 000004
【図３】
2006006497.tif 000005
【図４】
2006006497.tif 000006
【図５】
2006006497.tif 000007
【図６】
2006006497.tif 000008
【図７】
2006006497.tif 000009
【図８】
2006006497.tif 000010
【図９】
2006006497.tif 000011
【図１０】
2006006497.tif 000012
【図１１】
2006006497.tif 000013
【図１２】
2006006497.tif 000014
【図１３】
2006006497.tif 000015
【図１４】
2006006497.tif 000016
【図１５】
2006006497.tif 000017